(57)【要約】  本発明による電子機器用音響処理システムは、音響処理されたディジタル信号を周波数成分毎にブースト、又はカットするイコライザプロセッサと、イコライザプロセッサからの信号から低域信号を抽出して出力するローパスフィルタと、イコライザプロセッサからの信号から高域信号を抽出して出力するハイパスフィルタと、高域信号を圧縮する高域コンプレッサと、低域信号と、圧縮された高域信号とを加算する加算器と、加算後の信号に応じた音響を出力するスピーカーとを具備する。
2008126496.tif 000002
【特許請求の範囲】
【請求項１】
音響処理されたディジタル信号を周波数成分毎にブースト、又はカットするイコライザプロセッサと、
前記イコライザプロセッサからの信号から低域信号を抽出して出力するローパスフィルタと、
前記イコライザプロセッサからの信号から高域信号を抽出して出力するハイパスフィルタと、
前記高域信号を圧縮する高域コンプレッサと、
前記低域信号と、前記圧縮された高域信号とを加算する加算器と、
前記加算後の信号に応じた音響を出力するスピーカーと、
を具備する電子機器用音響処理システム。
【請求項２】
請求の範囲１に記載の電子機器用音響処理システムにおいて、
前記加算器に接続される第１のトータルコンプレッサを更に具備し、
前記第１のトータルコンプレッサは前記加算後の信号の全帯域に対して圧縮を行う
電子機器用音響処理システム。
【請求項３】
請求の範囲１に記載の電子機器用音響処理システムにおいて、
パラメータテーブルが記憶された記憶装置を更に具備し、
前記パラメータテーブルには、前記イコライザプロセッサ、前記ローパスフィルタ、前記ハイパスフィルタ、前記高域コンプレッサの各々の処理能力を決定するパラメータが設定される
電子機器用音響処理システム。
【請求項４】
請求の範囲１に記載の電子機器用音響処理システムにおいて、
前記イコライザプロセッサと前記ローパスフィルタ及び前記ハイパスフィルタとの間に挿入された第１のプリゲイン増幅器と、
前記ハイパスフィルタと前記高域コンプレッサとの間に挿入された第２のプリゲイン増幅器と、
前記高域コンプレッサと前記加算器との間に挿入されたホストゲイン増幅器と、
を更に具備する電子機器用音響処理システム。
【請求項５】
請求の範囲２に記載の電子機器用音響処理システムにおいて、
前記イコライザプロセッサと前記ローパスフィルタ及び前記ハイパスフィルタとの間に挿入された第２のトータルコンプレッサを更に具備し、
前記第２のトータルコンプレッサは、前記イコライザプロセッサから前記ローパスフィルタ及び前記ハイパスフィルタへの出力信号の全帯域に対して圧縮を行う
電子機器用音響処理システム。
【請求項６】
請求の範囲１に記載の電子機器用音響処理システムにおいて、
前記イコライザプロセッサと前記ローパスフィルタ及び前記ハイパスフィルタとの間に挿入されたＤ／Ａコンバータを更に具備し、
前記Ｄ／Ａコンバータは、前記イコライザプロセッサからの出力信号をアナログ信号に変換して前記ローパスフィルタ及び前記ハイパスフィルタに出力する
電子機器用音響処理システム。
【請求項７】
請求の範囲１に記載の電子機器用音響処理システムにおいて、
前記イコライザプロセッサの前段に接続されたＤ／Ａコンバータを更に具備し、
前記Ｄ／Ａコンバータは、前記音響処理されたディジタル信号をアナログ信号に変換して前記イコライザプロセッサに出力し、
前記イコライザプロセッサは、前記アナログ信号を周波数成分毎にブースト、又はカットする
電子機器用音響処理システム。
【請求項８】
請求の範囲１に記載の電子機器用音響処理システムにおいて、
前記イコライザプロセッサと前記ローパスフィルタ及び前記ハイパスフィルタの間に挿入されたＤ／Ａコンバータと、
前記Ｄ／Ａコンバータと前記ローパスフィルタ及び前記ハイパスフィルタとの間に挿入された第１のプリゲイン増幅器と、
前記ハイパスフィルタと前記高域コンプレッサとの間に挿入された第２のプリゲイン増幅器と、
前記高域コンプレッサと前記加算器との間に挿入されたホストゲイン増幅器と、
前記Ｄ／Ａコンバータは、前記イコライザプロセッサからの出力信号をアナログ信号に変換して前記ローパスフィルタ及び前記ハイパスフィルタに出力する
電子機器用音響処理システム。
【請求項９】
請求の範囲１に記載の電子機器用音響処理システムにおいて、
前記イコライザプロセッサは、前記音響処理されたディジタル信号のうち、５００Ｈｚ以下の低域信号を最大で６ｄＢカット、５００Ｈｚ以上の中高域信号を最大１２ｄＢブーストする
電子機器用音響処理システム。
【請求項１０】
音響処理されたディジタル信号を周波数成分毎にブースト、又はカットするステップと、
前記ブースト、カットが行われた信号から低域信号を抽出するステップと、
前記ブースト、カットが行われた信号から高域信号を抽出するステップと、
前記抽出された高域信号を圧縮するステップと、
前記抽出された低域信号と、前記圧縮された高域信号とを加算するステップと、
前記加算後の信号に応じた音響を出力するステップと、
を具備する電子機器用音響処理方法。
【請求項１１】
音響処理されたディジタル信号を周波数毎にブースト、又はカットするイコライザプロセッサと、
前記イコライザプロセッサからの信号から低域信号を抽出して出力するローパスフィルタと、
前記イコライザプロセッサからの信号から高域信号を抽出して出力するハイパスフィルタと、
前記高域信号を圧縮する高域コンプレッサと、
前記低域信号と、前記圧縮された高域信号とを加算する加算器と、
前記加算後の信号に応じた音響を出力するスピーカーと、
を具備する携帯電話端末。
【発明の詳細な説明】
【技術分野】
【０００１】
本発明は携帯電話を含む電子機器の音響処理システムに関する。特に、本発明は、再生音全体の音圧、音量感を高める電子機器用音響処理システム、方法及び携帯電話端末に関する。尚、本出願は、日本出願番号２００７−０７３４１３に基づく優先権を主張するものであり、日本出願番号２００７−０７３４１３における開示内容は引用により本出願に組み込まれる。
【背景技術】
【０００２】
携帯電話を含む電子機器の内部には、オーディオデバイスとして、その実装スペース及び消費電力の観点から、直径が数ｃｍ、厚さが数ｍｍ程度のマイクロスピーカー又はマイクロレシーバーが搭載されることが多い。しかし、このようなサイズの限られたマイクロスピーカーは、電子機器への実装条件とともに音響放射面積、前気密容量、後気密容量、音孔面積などの物理的制約が設定される。このため、マイクロスピーカーの等価騒音レベル、音圧周波数特性の平坦化、低域再生機能は通常の家庭用、業務用のオーディオスピーカーに比べて劣る。【０００３】
近年、携帯電話を含む電子機器によるオーディオ再生機能は、商品性から重要度を増している。一方、端末の小型化、薄型化にともない音響デバイスの小型化、薄型化も求められている。しかし、再生機能の向上とデバイスの小型化を両立することは容易ではない。特に、音響デバイスが小型化されることによって、放射面積、前面容積、背面容積の低下による低域の再生特性低下は著しいため、低域信号を音響デバイスに入力した場合、音の歪率、音割れ悪化を招く。このため低域の信号入力をカットする必要があるが、低域信号のカットに伴い再生音全体の音圧、音量感低下が生じてしまう。【０００４】
図１は、上記の問題点を解決するために用いられる、電子機器内部のマイクロスピーカー再生オーディオパスの信号処理例を説明する図である。【０００５】
図１に示すように、電子機器１０は、オーディオディジタル音源１１、復調複合回路１２、各種音響処理プロセッサ１３、イコライザプロセッサ１４、Ｄ／Ａ（ディジタル／アナログ）変換器１５、バンドパスフィルタ１６、増幅器（アンプ）１７、バンドパスフィルタ１８、マイクロスピーカー１９を具備する。復調複合回路１２は、オーディオディジタル音源１１からの信号を復調及び復号化し、信号フォーマットの変換を行う。各種音響処理プロセッサ１３は、復調複合回路１２からの信号に対して３Ｄ効果、リバーブ効果、コーラス効果、ディレイ効果、エンハンス効果、周波数帯域ブースト効果などを含めた音響処理を行う。イコライザプロセッサ１４は、音響処理された信号に対して各周波数のブースト、カットを行う。Ｄ／Ａ変換器１５は、イコライザプロセッサ１４からのディジタル信号をアナログ信号に変換する。バンドパスフィルタ１６は、変換されたアナログ信号に対して低周波カット、高調波カット、雑音カットを行う。アンプ１７は、バンドパスフィルタ１６からの信号を増幅する。バンドパスフィルタ１８は必要に応じて設けられ、アンプ１７によって増幅された信号に対して低周波カット、高調波カット、雑音カットを行う。マイクロスピーカー１９は、バンドパスフィルタ１８に接続され、電気信号を音響に変換して出力する。【０００６】
復調複合回路１２、音響処理プロセッサ１３、イコライザプロセッサ１４の各ブロックはＤＳＰ（ディジタル・シグナル・プロセッサ）により実現され得るし、個別の専用ＬＳＩ（大規模集積回路）によって実現され得る。他の構成要素もＤＳＰを用いて互いに１つのＬＳＩチップ、モジュールの中に統合され得るし、個別のＬＳＩ、ＩＣ（集積回路）により構成され得る。【０００７】
図２は図１におけるイコライザプロセッサ１４の設定例を示す図である。図２を参照して、イコライザプロセッサ１４の設定例を線２１０で示す。本設定例では、低域信号による音割れを軽減するために、５００Ｈｚ以下の低域信号を最大６ｄＢカットし、全帯域の音圧と音量感を向上させるために、３ｋＨｚ以上の信号を最大３ｄＢとするようにイコライザプロセッサ１４が設定される。このような設定により、いかなる信号レベルの入力信号に対してもイコライザプロセッサ１４以降のオーディオパス内における信号レベルがディジタル又はアナログのフルスケール（０ｄＢ）を超えることがないように、調整することができる。【０００８】
しかしながら、本一例では、高域信号のブースト量を、全帯域信号のディジタル／アナログのフルスケールに対するマージンを考慮して設計しなければならない。この場合、高域信号のブースト量の範囲が狭く限られてしまうという。したがって、低域特性再生能力が低いマイクロスピーカー、マイクロレシーバーなどの全体の音圧、音量感を向上させることが求められている。【０００９】
例えば、特開２００４−１１２４１４号公報に、振幅圧縮量が大きいほど、入力オーディオ信号の高域成分を減衰させる制御によって、相対的に低域成分を強調し、音の太さを演出する技術が記載されている。【００１０】
また、特開２００４−２４８２９８号公報には、微少であってゲインに依存しない遅延を有し、低消費電力のコンプレッサを含む補聴器に関する技術が記載されている。特開２００４−２４８２９８号公報に記載の補聴器では、ダイナミックレンジの聴覚低下を補償するための多チャネル・コンプレッサによって低域特性再生能力を向上させている。【００１１】
しかしながら、特開２００４−１１２４１４号公報や特開２００４−２４８２９８号公報に記載の技術では、全体の音圧、音量感を向上させる音響処理は行われていない。
【発明の開示】
【００１２】
したがって、本発明の目的は、低域を減衰させかつ高域の平均音圧を大幅に向上させることにより、全体の音圧、音量感を向上させる音響処理を行う電子機器用音響処理システム及び方法を提供することにある。
【００１３】
本発明は問題点を解決するために、オーディオディジタル音源からの信号を復調及び復号化し、信号フォーマットの変換を行う信号に対して各種音響処理を行い、音響の出力を行う電子機器用音響処理システムである。
【００１４】
本発明による電子機器用音響処理システムは、音響処理されたディジタル信号を周波数成分毎にブースト、又はカットするイコライザプロセッサと、イコライザプロセッサからの信号から低域信号を抽出して出力するローパスフィルタと、イコライザプロセッサからの信号から高域信号を抽出して出力するハイパスフィルタと、高域信号を圧縮する高域コンプレッサと、低域信号と、圧縮された高域信号とを加算する加算器と、加算後の信号に応じた音響を出力するスピーカーとを具備する。
【００１５】
又、本発明による電子機器用音響処理方法は、音響処理されたディジタル信号を周波数成分毎にブースト、又はカットするステップと、ブースト、カットが行われた信号から低域信号を抽出するステップと、ブースト、カットが行われた信号から高域信号を抽出するステップと、抽出された高域信号を圧縮するステップと、抽出された低域信号と、圧縮された高域信号とを加算するステップと、加算後の信号に応じた音響を出力するステップとを具備する。
【００１６】
又、本発明による電子機器用音響処理装置は、携帯電話端末に搭載されることが好ましい。
【００１７】
以上説明したように、本発明では、イコライザプロセッサにより、高域信号がより大きくブーストされた場合でも、高域コンプレッサによって、ブーストされた高域信号の過大なピークのみが抑圧され、ダイナミックレンジが圧縮される。これにより、時間領域における出力信号の信号レベルの平均値は入力信号より向上し、マイクロスピーカーへの入力電圧ピークを変化させずに、実行音圧を向上させることができる。更に、低域信号と、高域コンプレッサによって圧縮された高域信号とを加算した信号によって音響が生成される。このため、実行音圧の向上とともに音量感も大幅に向上される。
【図面の簡単な説明】
【００１８】
上記発明の目的、効果、特徴は、添付される図面と連携して実施の形態の記述から、より明らかになる。
【図１】図１は、従来技術による電子機器内部のマイクロスピーカー再生オーディオパスの信号処理例を説明する図である。
【図２】図２は、従来技術によるイコライザプロセッサの設定例を示す図である。
【図３】図３は、本発明に係る電子機器用音響処理システムの実施の形態における概略構成を示すブロック図である。
【図４】図４は、本発明に係るイコライザプロセッサの設定例を示す図である。
【図５】図５は、本発明による電子機器用音響処理システムにおける入出力信号の周波数特性を示す図である。
【図６】図６は、本発明による電子機器用音響処理システムの時間領域における特性を示す図である。
【図７】図７は、本発明による電子機器用音響処理システムの実施の形態の第１変形例の概略構成を示すブロック図である。
【図８】図８は、本発明による電子機器用音響処理システムの実施の形態の第２変形例の概略構成を示すブロック図である。
【図９】図９は、本発明による電子機器用音響処理システムの実施の形態の第３変形例の概略構成を示すブロック図である。
【図１０】図１０は、本発明による電子機器用音響処理システムの実施の形態の第４変形例の概略構成を示すブロック図である。
【図１１】図１１は、本発明による電子機器用音響処理システムの実施の形態の第５変形例の概略構成を示すブロック図である。
【図１２】図１２は、本発明による電子機器用音響処理システムの実施の形態の第６変形例の概略構成を示すブロック図である。
【図１３】図１３は、本発明による電子機器用音響処理システムの実施の形態の第７変形例の概略構成を示すブロック図である。
【発明を実施するための最良の形態】
【００１９】
以下、添付図面を参照して、本発明による電子機器用音響処理システムの実施の形態が説明される。図面において同一、又は類似の参照符号は、同一、類似、又は等化な構成要素を示している。【００２０】
図３は本発明に係る電子機器用音響処理システムの概略構成を示すブロック図である。図３に示す電子機器用音響処理システムは携帯電話端末に好適に内蔵される。電子機器用音響処理システム１００は、オーディオディジタル音源１０１、復調複合回路１０２、各種音響処理プロセッサ１０３、イコライザプロセッサ１０４、ローパスフィルタ１１１、ハイパスフィルタ１１２、高域コンプレッサ１１３、加算器１１４、Ｄ／Ａ（ディジタル／アナログ）変換器１０５、バンドパスフィルタ１０６、増幅器（アンプ）１０７、バンドパスフィルタ１０８、マイクロスピーカー１０９を具備する。【００２１】
復調複合回路１０２は、オーディオディジタル音源１０１からの信号を復調及び復号化し、信号フォーマットの変換を行う。各種音響処理プロセッサ１０３は、復調複合回路１０２からの信号に対して３Ｄ効果、リバーブ効果、コーラス効果、ディレイ効果、エンハンス効果、周波数帯域ブースト効果などを含めた音響処理を行う。イコライザプロセッサ１０４は、音響処理された信号の周波数毎に対するブースト又はカット処理を行う。ローパスフィルタ１１１は、イコライザプロセッサ１０４の出力の周波数の低域側の成分を取り出し、低域信号として出力する。ハイパスフィルタ１１２は、イコライザプロセッサ１０４の出力の周波数の高域側の成分を取り出し、高域信号として出力する。高域コンプレッサ１１３は、イコライザプロセッサ１０４によりブーストされた高域信号を圧縮する。加算器１１４は、低域信号と圧縮された高域信号とを加算する。Ｄ／Ａ変換器１０５は、加算器１１４において加算されたディジタル信号をアナログ信号に変換する。バンドパスフィルタ１０６は、変換されたアナログ信号に対して低周波カット、高調波カット、雑音カットを行う。アンプ１０７は、バンドパスフィルタ１０６からの信号を増幅する。バンドパスフィルタ１０８は必要に応じて設けられ、アンプ１０７によって増幅された信号に対して低周波カット、高調波カット、雑音カットを行う。マイクロスピーカー１０９は、バンドパスフィルタ１０８からの電気信号を音響に変換して出力する。【００２２】
復調複合回路１０２、音響処理プロセッサ１０３、イコライザプロセッサ１０４の各ブロックはＤＳＰ（ディジタル・シグナル・プロセッサ）により実現され得るし、個別の専用ＬＳＩ（大規模集積回路）によって実現され得る。他の構成要素もＤＳＰを用いて互いに１つのＬＳＩチップ、モジュールの中に統合され得るし、個別のＬＳＩ、ＩＣ（集積回路）により構成され得る。【００２３】
ローパスフィルタ１１１、ハイパスフィルタ１１２のカットオフ周波数は、各々イコライザプロセッサ１０４にてブーストする周波数を考慮して決定すればよいが、後述の図４に示すイコライザプロセッサ１０４の設定の場合、３ｄＢダウンのカットオフ周波数を１ｋＨｚに設定すればよい。【００２４】
高域コンプレッサ１１３のパラメータとしては、スレッショルドレベル、レシオ、アタックタイム、リリースタイムなどがあげられるが、各々音響等に基づいてチューニングすることが可能である。例えば、スレッショルドレベル−５〜−１５ｄＢ、レシオ１：４〜１：８、アタックタイム０〜２５ｍｓｅｃ、リリースタイム０〜５０ｍｓｅｃが高域コンプレッサのパラメータとして設定される。このように設定されることで、高域コンプレッサ１１３の挿入によりイコライザプロセッサ１０４は、従来例に比して高域のブーストが可能となる。【００２５】
図４は図３に示すイコライザプロセッサ１０４の設定例を示す図である。例えば、図４に示す線３１４のように、イコライザプロセッサ１０４は、５００Ｈｚ以下を最大で６ｄＢカット、５００Ｈｚ以上の中高域を最大１２ｄＢブーストするように設定される。又、ローパスフィルタ１１１、ハイパスフィルタ１１２の各々には３ｄＢカットオフ周波数として例えば１ｋＨｚが設定される。【００２６】
図５は上述のように設定された電子機器用音響処理システム１００における入力信号の周波数特性１６０及び出力信号の周波数特性１７０を示す図である。又、図６は上述のように設定された電子機器用音響処理システム１００における入力信号の時間特性１８０及び出力信号の時間特性１９０を示す図である。【００２７】
図５及び図６には、オーディオディジタル音源１０１からは２０Ｈｚ〜２４ｋＨｚの白色雑音が入力されている場合における電子機器用音響処理システム１００の入出力特性が示される。尚、この際、復調複合回路１０２と各種音響処理プロセッサ１０３は、周波数特性、ダイナミックレンジに影響を及ぼす処理を行っていない。【００２８】
図５を参照して、周波数領域において、出力信号における高域信号の信号レベルは、入力信号における高域信号の信号レベルから６ｄＢ以上と大幅にブーストされている。一方、図６を参照して、時間領域において、出力信号の信号レベルのピークは抑制されるが、出力信号の信号レベルの平均値は、入力信号の信号レベルの平均値から大幅に向上している。すなわち、イコライザプロセッサ１０４によりブーストされた高域信号は、高域コンプレッサ１１３により、過大なピークのみが抑制され、ダイナミックレンジが圧縮される。これにより、出力信号の時間領域における平均レベルは向上し、マイクロスピーカー１０９への入力電圧ピークを変化させずに、実行音圧を向上させることができる。更に、本発明によれば、低域信号と、高域コンプレッサ１１３によって圧縮された高域信号とを加算した信号によって音響が生成される。このため、実行音圧の向上とともに音量感も大幅に向上される。【００２９】
図７は、図３に示す電子機器用音響処理システム１００の第１変形例の概略構成を示すブロック図である。図７を参照して、電子機器用音響処理システム１００の第１変形例では、加算器１１４とＤ／Ａコンバータ１０５の間にトータルコンプレッサ１２０が挿入される。その他の構成は、図３に示す構成と同じである。【００３０】
トータルコンプレッサ１２０は、加算器１１４で加算された信号（加算後の信号）を圧縮してＤ／Ａコンバータ１０５に出力する。トータルコンプレッサ１２０によって、入力信号における全帯域の信号に対してピークレベルを抑圧することが可能となり、ダイナミックレンジの圧縮、実行音圧及び音量感の向上を図ることが可能となる。【００３１】
図８は図３に示す電子機器用音響処理システム１００の第２変形例の概略構成を示すブロック図である。図８を参照して、電子機器用音響処理システム１００の第２変形例では、加算器１１４とＤ／Ａコンバータ１０５の間にトータルコンプレッサ１２０が挿入され、パラメータテーブル１１５が更に設けられる。その他の構成は、図３に示す構成と同じである。【００３２】
パラメータテーブル１１５には、その各機能に応じてイコライザプロセッサ１０４、高域コンプレッサ１１３、各種音響処理プロセッサ１０３、トータルコンプレッサ１２０、ローパスフィルタ１１１、ハイパスフィルタ１１２などに対するパラメータが保存される。パラメータテーブル１１５は例えば、不揮発メモリに好適に記録される。又、パラメータテーブル１１５に設定されるパラメータは、ユーザによって任意に設定（変更）可能であっても良い。この場合、ユーザによって任意の時期にユーザの嗜好に応じた音響設定が可能となる。【００３３】
例として、携帯電話の場合、通話機能（通常、ハンズフリー通話）、音楽再生機能（ロック、クラシックなど各音楽ジャンル用設定）などの機能別に、パラメータが設定される。この場合、図８の各種音響処理プロセッサ１０３、イコライザプロセッサ１０４、ローパスフィルタ１１１、ハイパスフィルタ１１２、高域コンプレッサ１１３、トータルコンプレッサ１２０は各々、パラメータテーブル１１５から読み取られたパラメータがされることで、適宜各機能に応じて動作状態が変化する。例えば、通常通話機能時に比べ、音楽再生機能時の実行音圧及び音量は大きく設定される。【００３４】
図９は図３に示す電子機器用音響処理システム１００の第３変形例の概略構成を示すブロック図である。図９を参照して、電子機器用音響処理システム１００の第３変形例では、加算器１１４とＤ／Ａコンバータ１０５の間にトータルコンプレッサ１２０が挿入され、更に、プリゲイン増幅器１２１、１２２、及びホストゲイン増幅器１２３が設けられる。プリゲイン増幅器１２１は、イコライザプロセッサ１０４とローパスフィルタ１１１及びハイパスフィルタ１１２との間に挿入される。プリゲイン増幅器１２２は、ハイパスフィルタ１１２と高域コンプレッサ１１３の間に挿入される。ホストゲイン増幅器１２３は、高域コンプレッサ１１３と加算器１１４との間に挿入される。その他の構成は、図３に示す構成と同じである。【００３５】
プリゲイン増幅器１２１、プリゲイン増幅器１２２、ホストゲイン増幅器１２３の挿入により、イコライザプロセッサ１０４を用いることなくとも、周波数ゲイン設定が可能となる。【００３６】
図１０は図３に示す電子機器用音響処理システム１００の第４変形例の概略構成を示すブロック図である。図１０を参照して、電子機器用音響処理システム１００の第４変形例では、加算器１１４とＤ／Ａコンバータ１０５の間にトータルコンプレッサ１２０が挿入され、イコライザプロセッサ１０４とローパスフィルタ１１１及びハイパスフィルタ１１２との間にトータルコンプレッサ１２４が挿入される。その他の構成は、図３に示す構成と同じである。【００３７】
トータルコンプレッサ１２４は、ローパスフィルタ１１１、ハイパスフィルタ１１２への入力を圧縮する。これにより、ローパスフィルタ１１１、ハイパスフィルタ１１２への入力における全帯域でのダイナミックレンジ圧縮が可能となり、より幅広くイコライザプロセッサ１０４、高域コンプレッサ１１３、トータルコンプレッサ１２０の各々にいてパラメータを調整することが可能となる。【００３８】
図１１は図３に示す電子機器用音響処理システム１００の第５変形例の概略構成を示すブロック図である。図１１を参照して、第５変形例におけるＤ／Ａコンバータ１０５は、イコライザプロセッサ１０４とローパスフィルタ１１１及びハイパスフィルタ１１２との間に挿入される。この場合、第５実施例におけるローパスフィルタ１１１、ハイパスフィルタ１１２、高域コンプレッサ１１３、加算器１１４は、入力されるアナログ信号に対し上述と同様な処理を行う。【００３９】
第５変形例におけるローパスフィルタ１１１、ハイパスフィルタ１１２、高域コンプレッサ１１３はＤ／Ａコンバータ１０５の後段に設置されており、高域のダイナミックレンジ圧縮処理をアナログで行うオーディオパスとなっている。このため、図３に示す電子機器用音響処理システム１００と同等の効果を得ることが可能となる。【００４０】
図１２は図３に示す電子機器用音響処理システム１００の第６変形例の概略構成を示すブロック図である。図１２を参照して、第６変形例におけるＤ／Ａコンバータ１０５は、各種音響処理プロセッサ１０３とイコライザプロセッサ１０４との間に挿入される。この場合、第６実施例におけるイコライザプロセッサ１０４、ローパスフィルタ１１１、ハイパスフィルタ１１２、高域コンプレッサ１１３、加算器１１４は、入力されるアナログ信号に対し上述と同様な処理を行う。【００４１】
第６変形例におけるイコライザプロセッサ１０４、ローパスフィルタ１１１、ハイパスフィルタ１１２、高域コンプレッサ１１３はＤ／Ａコンバータ１０５の後段に設置されており、高域のダイナミックレンジ圧縮処理をアナログで行うオーディオパスとなっている。このため、第４変形例における電子機器用音響処理システム１００と同等の効果を得ることが可能となる。【００４２】
図１３は図３に示す電子機器用音響処理システム１００の第７変形例の概略構成を示すブロック図である。図１３を参照して、第７変形例におけるＤ／Ａコンバータ１０５は、イコライザプロセッサ１０４とローパスフィルタ１１１及びハイパスフィルタ１１２との間に挿入される。更に、アナログ式のプリゲイン増幅器１２１、１２２、１２３が設けられる。プリゲイン増幅器１２１は、Ｄ／Ａコンバータ１０５とローパスフィルタ１１１及びハイパスフィルタ１１２との間に挿入される。プリゲイン増幅器１２２は、ハイパスフィルタ１１２と高域コンプレッサ１１３の間に挿入される。プリゲイン増幅器１２３は、高域コンプレッサ１１３と加算器１１４との間に挿入される。この場合、第７実施例におけるローパスフィルタ１１１、ハイパスフィルタ１１２、高域コンプレッサ１１３、加算器１１４、プリゲイン増幅器１２１、１２２、及びホストゲイン増幅器１２３は、入力されるアナログ信号に対し上述と同様な処理を行う。【００４３】
プリゲイン増幅器１２１、プリゲイン増幅器１２２、ホストゲイン増幅器１２３の挿入により、イコライザプロセッサ１０４を用いることなくとも、第３変形例と同様に周波数ゲイン設定が可能となる。【００４４】
以上のように、本発明によれば、イコライザプロセッサにより、高域信号がより大きくブーストされた場合でも、高域コンプレッサによって、ブーストされた高域信号の過大なピークのみが抑圧され、ダイナミックレンジが圧縮される。これにより、時間領域における出力信号の信号レベルの平均値は入力信号より向上し、マイクロスピーカーへの入力電圧ピークを変化させずに、実行音圧を向上させることができる。更に、低域信号と、高域コンプレッサによって圧縮された高域信号とを加算した信号によって音響が生成される。このため、実行音圧の向上とともに音量感も大幅に向上される。【００４５】
以上、本発明の実施の形態を詳述してきたが、具体的な構成は上記実施の形態に限られるものではなく、本発明の要旨を逸脱しない範囲の変更があっても本発明に含まれる。
【図１】
2008126496.tif 000003
【図２】
2008126496.tif 000004
【図３】
2008126496.tif 000005
【図４】
2008126496.tif 000006
【図５】
2008126496.tif 000007
【図６】
2008126496.tif 000008
【図７】
2008126496.tif 000009
【図８】
2008126496.tif 000010
【図９】
2008126496.tif 000011
【図１０】
2008126496.tif 000012
【図１１】
2008126496.tif 000013
【図１２】
2008126496.tif 000014
【図１３】
2008126496.tif 000015
【国際調査報告】
2008126496.tif 000016
2008126496.tif 000017
2008126496.tif 000018
2008126496.tif 000019
2008126496.tif 000020
2008126496.tif 000021